(57)【要約】【課題】移動しやすく、かつ構造が簡単で水の保持能力が高い実用的な移動植木鉢を開発し、短時間で模様替えできる移動庭を提供する。【解決手段】周囲を囲む側面部及び水抜き穴を有する底面部を合金、プラスチックス又は木製素材で一体成型した一体成型植木鉢若しくは周囲を囲む側面部及び水抜き穴を有する底面部を固着剤で組み合わせて作製した合金、プラスチックス又は木製素材で作られた固着組み合わせ型植木鉢と、当該植木鉢を載せるキャスター付き鉢受台とからなる移動植木鉢において、水抜き穴を有する底面部を上げ底に設計して、スポンジ状の多抗質体を保持させた移動植木鉢、及びこれを多数用いた移動庭。【選択図】　図３
2004113198.tif 000002
【特許請求の範囲】
【請求項１】
周囲を囲む側面部及び水抜き穴を有する底面部を合金、プラスチックス又は木製素材で一体成型した一体成型植木鉢若しくは周囲を囲む側面部及び水抜き穴を有する底面部を固着剤で組み合わせて作製した合金、プラスチックス又は木製素材で作られた固着組み合わせ型植木鉢と、当該植木鉢を載せるキャスター付き鉢受台とからなる移動植木鉢において、水抜き穴を有する底面部を上げ底に設計して、スポンジ状の多抗質体を保持させた移動植木鉢。
【請求項２】
一体成型植木鉢の合金がアルミ系合金又はステンレス系合金、プラスチックスがポリオレフィン系樹脂又はポリビニル系樹脂、木製素材が木粉と樹脂バインダーからな木質組成物である請求項１に記載した移動植木鉢。
【請求項３】
スポンジ状の多抗質体が比表面積１００〜５０００ｍ２／ｇの炭素微粉末を含んでいる請求項１または請求項２に記載した移動植木鉢。
【請求項４】
スポンジ状の多抗質体がさらに珪藻土、シリカ粉末、カオリン粉末、アルミナ粉末の少なくとも１種以上を含む請求項３に記載した移動植木鉢。
【請求項５】
固着組み合わせ型植木鉢の固着が接着剤、ハンダ付け、ボルトナット、クギである請求項１に記載した移動植木鉢。
【請求項６】
固着組み合わせ型植木鉢が、組立キットである請求項５に記載した移動植木鉢。
【請求項７】
一体成型植木鉢若しくは固着組み合わせ型植木鉢が、方形ないし直方形の箱体又は円筒体である請求項１ないし請求項６のいずれかひとつに記載した移動植木鉢。
【請求項８】
請求項１ないし請求項７に記載された移動植木鉢のいずれかひとつを、屋内若しくは屋外に多数集めてなる移動庭。
【請求項９】
請求項１ないし請求項７に記載された移動植木鉢の２種以上の組み合わせを用い、この組み合わせを屋内若しくは屋外に多数集めてなる移動庭。
【発明の詳細な説明】
【０００１】
【発明の属する技術分野】
本発明は、移動植木鉢に関するものであり、かつ、水持ちの良い植木鉢、及びこの植木鉢を多数用いて、短時間で模様替えのできる移動庭を提供するものである。
【０００２】
【従来の技術】
植木鉢は、古くから日常生活品として親しまれてきた。その形状も、方形から長方形に至る多様な箱型形のものから、円筒形のもの、上面が大きく底面が小さい台型円錐形のものなど多種多様にわたっている。
また、その材質も木材、プラスチック、素焼きの陶器、金属合金など多種多様にわたっている。
比較的大型の植木鉢は、一人で動かすことが難しい場合があり、移動できる植木鉢としては、キャスターを取り付けた植木鉢（例えば特許文献１参照）が挙げられる。
また、キャスターを取り付けた植木鉢でかつ水を蓄えることが出来る植木鉢（例えば特許文献２参照）も知られている。
【０００３】
【特許文献１】
特開平１１−２２５５８４
【特許文献２】
特開平１１−００９１０９
【０００４】
【発明の課題】
しかし、このような移動式の植木鉢においては、給水した水の保持能力に問題があり、また、水を蓄えることが出来る植木鉢は、構造が複雑であり、実用的ではなかった。
本発明は、移動しやすく、かつ構造が簡単で水の保持能力が高い実用的な植木鉢を開発し、短時間で模様替えできる移動庭として利用することを目的とし、鋭意研究した結果、水の保持能力が高いスポンジ状の多孔質体を、植木鉢の水抜き穴を有する底面部を上げ底に設計して、スポンジ状の多抗質体を保持させることにより、水の保持能力を格段に向上させた移動植木鉢を安価に作り、短時間で模様替えできる移動庭にすることに成功した。
【０００５】
【課題を解決する手段】
すなわち、本発明は、周囲を囲む側面部及び水抜き穴を有する底面部を合金、プラスチックス、木製素材、素焼きの陶器で一体成型した一体成型植木鉢若しくは周囲を囲む側面部及び水抜き穴を有する底面部を固着剤で組み合わせて作製した合金、プラスチックス又は木製素材で作られた固着組み合わせ型植木鉢と当該植木鉢を載せるキャスター付き台とからなる移動植木鉢において、水抜き穴を有する底面部を上げ底に設計して、スポンジ状の多抗質体を保持させた移動植木鉢に関する。
ここで、本発明の移動植木鉢に用いる植木鉢は、一体成型したものであっても、釘や接着剤を用いて側面部部材と底面部部材を固着して組み合わせたもの即ち固着組み合わせ型植木鉢であっても良い。
また、本発明において植木鉢として用いる材料は、合金がアルミ系合金又はステンレス系合金、プラスチックスがポリオレフィン系樹脂又はポリビニル系樹脂、木製素材が木粉と樹脂バインダーからな木質組成物であることができる。
さらに、本発明において用いるスポンジ状の多抗質体は、有機質であっても無機質であっても良い。
さらにまた、スポンジ状の多抗質体のみを用いてもよいし、多抗質体が比表面積１００〜５０００ｍ２／ｇの炭素微粉末を含んでいてもよい。
本発明においては、炭素微粉末のほか珪藻土、シリカ粉末、カオリン粉末、アルミナ粉末の少なくとも１種以上を含有させることが出来る。
本発明において用いる固着組み合わせ型植木鉢において、固着手段として接着剤、ハンダ付け、ボルトナット、クギを用いることが出来る。
また、固着組み合わせ型植木鉢が、組立キットであることができる。
本発明の移動植木鉢は、方形ないし直方形の箱体又は円筒体若しくは上面が大きく底面が小さい台型円錐形の植木鉢を用いることが出来る。
キャスター付き台は、植木鉢を載せる鉢受台と脚部と脚部に付けたキャスターからなり、鉢受台の面積は植木鉢の底面積より大きいことが望まれる。
また、本発明は、一体成型植木鉢若しくは固着組み合わせ型植木鉢を多数並べて、短時間で模様替えができる移動庭を造ることができる。
植木鉢の組み合わせは、１種類の植木鉢のみで、移動庭を構成することもできるが、通常２種類以上の植木鉢を組み合わせて用いる。
【０００６】
【実施の形態】
本発明で用いるスポンジ状の多抗質体は、有機質であっても無機質であっても良い。
有機質の代表的なものは、ウレタンフォームに代表される発泡プラスチックス、珪藻土、シリカ粉末、カオリン粉末、アルミナ粉末の少なくとも１種以上を配合した発泡プラスチックス、海綿などがある。
無機質の代表的なものは、ゼオライトが挙げられる。
本発明で用いるスポンジ状の多抗質体に、比表面積１００〜５０００ｍ２／ｇの炭素微粉末を含ませることが望ましい。炭素微粉末は水の保持能力を高めるだけでなく、水を清潔に保ち、水が腐敗するのを防ぐ働きをする。
炭素微粉末の比表面積が１００ｍ２／ｇ以下では、水を清潔に保ち、水が腐敗するのを防ぐが小さく、５０００ｍ２／ｇ以上では、水を与えたとき粒子が流されてしまう。
さらに、炭素微粉末にのほかに、珪藻土、シリカ粉末、カオリン粉末、アルミナ粉末の少なくとも１種以上を配合すると、水を清潔に保ち、水が腐敗するのを防ぐ働きが増加される。
本発明のスポンジ状の多抗質体は、植木鉢の外部に位置するため、より空気と接触するため、これらの微粒子が空気中の酸素を取り込んでいると考えられる。
【０００７】
本発明の実施の形態をまとめると以下の通りである。
（１）周囲を囲む側面部及び水抜き穴を有する底面部を合金、プラスチックス又は木製素材で一体成型した一体成型植木鉢若しくは周囲を囲む側面部及び水抜き穴を有する底面部を固着剤で組み合わせて作製した合金、プラスチックス又は木製素材で作られた固着組み合わせ型植木鉢と、当該植木鉢を載せるキャスター付き鉢受台とからなる移動植木鉢において、水抜き穴を有する底面部を上げ底に設計して、スポンジ状の多抗質体を保持させた移動植木鉢。
（２）　一体成型植木鉢の合金がアルミ系合金又はステンレス系合金、プラスチックスがポリオレフィン系樹脂又はポリビニル系樹脂、木製素材が木粉と樹脂バインダーからな木質組成物である上記１に記載した移動植木鉢。
（３）　スポンジ状の多抗質体が比表面積１００〜５０００ｍ２／ｇの炭素微粉末を含んでいる上記１または上記２に記載した移動植木鉢。
（４）　スポンジ状の多抗質体がさらに珪藻土、シリカ粉末、カオリン粉末、アルミナ粉末の少なくとも１種以上を含む上記３に記載した移動植木鉢。
（５）　固着組み合わせ型植木鉢の固着が接着剤、ハンダ付け、ボルトナット、クギである上記１に記載した移動植木鉢。
（６）　固着組み合わせ型植木鉢が、組立キットである上記５に記載した移動植木鉢。
（７）　一体成型植木鉢若しくは固着組み合わせ型植木鉢が、方形ないし直方形の箱体又は円筒体である上記１ないし上記６のいずれかひとつに記載した移動植木鉢。
（８）　上記１ないし上記７に記載された移動植木鉢のいずれかひとつを、屋内若しくは屋外に多数集めてなる移動庭。
（９）　上記１ないし上記７に記載された移動植木鉢の２種以上の組み合わせを用い、この組み合わせを屋内若しくは屋外に多数集めてなる移動庭。
【０００８】
つぎに本発明の具体例を示す。
実施例１
（一体成型植木鉢の作成）
図１に示すように、側面部１、水抜き穴３を有する底面部２、上げ底構造の底部４からなる横幅４０ｃｍ縦幅７０ｃｍ上げ底までの深さ４５ｃｍ、直径２ｃｍ水抜き穴、上げ底の深さ１０ｃｍの長方形の植木鉢をプラスチックで一体成型して作成した。
上げ底の中に、上げ底とほぼ同じ横幅４０ｃｍ縦幅７０ｃｍ上げ底までの深さ１０ｃｍ、の発泡ウレタン製のスポンジ状の多抗質体５を入れた。
（キャスター付き鉢受台の作成）
キャスター付き鉢受台は、図３に示すように、鉢受台６、脚部７、キャスター８からなり、鉢受台６、脚部７をプラスチックで一体成型し、脚部７にキャスター８を取り付けた。
（移動植木鉢の作成）
上記の植木鉢に、腐葉土を含む黒土を入れ、赤いバラを移植した。約１ヶ月育成したのち、上記のキャスター付き鉢受台に載せた。
総重量約１１０ｋｇであったが、キャスターが付いているので、らくらく移動することができた。屋上の炎天下にさらしたが１回の水遣りで、約１週間水を遣らなくとも大丈夫であった。
【０００９】
実施例２
（一体成型植木鉢の作成）
図２に示すように、側面部１、水抜き穴３を有する底面部２、上げ底構造の底部４からなる上面の直径６０ｃｍ下面の直径５０ｃｍ上げ底までの深さ４５ｃｍ、直径３ｃｍ水抜き穴、上げ底の深さ１０ｃｍの長方形の植木鉢をプラスチックで一体成型して作成した。
上げ底の中に、上げ底とほぼ同じ横幅４０ｃｍ縦幅７０ｃｍ上げ底までの深さ１０ｃｍ、の発泡ウレタン製のスポンジ状の多抗質体５を入れた。
（キャスター付き鉢受台の作成）
キャスター付き鉢受台は、図３に示すように、鉢受台６、脚部７、キャスター８からなり、鉢受台６、脚部７をプラスチックで一体成型し、脚部７にキャスター８を取り付けた。
（移動植木鉢の作成）
上記の植木鉢に、腐葉土を含む黒土を入れ、白いバラを移植した。約１ヶ月育成したのち、上記のキャスター付き鉢受台に載せた。
総重量約１００ｋｇであったが、キャスターが付いているので、らくらく移動することができた。屋上の炎天下にさらしたが１回の水遣りで、約１週間水を遣らなくとも大丈夫であった。
【００１０】
実施例３
（固着組み合わせ型植木鉢の作成）
厚さ２０ｍｍの板と釘を使って、図１に示すような、側面部１、水抜き穴３を有する底面部２、上げ底構造の底部４からなる横幅４０ｃｍ縦幅７０ｃｍ、直径１ｃｍ水抜き穴、上げ底までの深さ４５ｃｍ、上げ底の深さ１０ｃｍ、の長方形の植木鉢をプラスチックで一体成型して作成した。
上げ底の中に、上げ底とほぼ同じ横幅４０ｃｍ縦幅７０ｃｍ上げ底までの深さ１０ｃｍ、の発泡ウレタン製のスポンジ状の多抗質体５を入れた。
（キャスター付き鉢受台の作成）
キャスター付き鉢受台は、図３に示すように、鉢受台６、脚部７、キャスター８からなり、鉢受台６、脚部７をプラスチックで一体成型し、脚部７にキャスター８を取り付けた。
（移動植木鉢の作成）
上記の植木鉢に、腐葉土を含む黒土を入れ、赤いバラを移植した。約１ヶ月育成したのち、上記のキャスター付き鉢受台に載せた。
総重量約１２０ｋｇであったが、キャスターが付いているので、らくらく移動することができた。屋上の炎天下にさらしたが１回の水遣りで、約１週間水を遣らなくとも大丈夫であった。
【００１１】
実施例４
発泡ウレタンを製造するに際して、比表面積１０００ｍ２／ｇの炭素微粉末１０ｗｔ％を混入して発泡成形したスポンジ状の多抗質体を用いた他は、実施例１と同じ手順で、移動植木鉢を作成した。
総重量約１１１ｋｇであったが、キャスターが付いているので、らくらく移動することができた。屋上の炎天下にさらしたが１回の水遣りで、約１０日水を遣らなくとも大丈夫であった。
【００１２】
実施例５
発泡ウレタンを製造するに際して、比表面積２０００ｍ２／ｇの炭素微粉末１０ｗｔ％及び珪藻土５ｗｔ％を混入して発泡成形したスポンジ状の多抗質体を用いた他は、実施例２と同じ手順で、移動植木鉢を作成した。
総重量約１０２ｋｇであったが、キャスターが付いているので、らくらく移動することができた。屋上の炎天下にさらしたが１回の水遣りで、約１０日水を遣らなくとも大丈夫であった。
【００１３】
実施例６
発泡ウレタンを製造するに際して、比表面積３０００ｍ２／ｇの炭素微粉末１０ｗｔ％、シリカ微粉末３ｗｔ％、及び珪藻土２ｗｔ％を混入して発泡成形したスポンジ状の多抗質体を用いた他は、実施例３と同じ手順で、移動植木鉢を作成した。
総重量約１２２ｋｇであったが、キャスターが付いているので、らくらく移動することができた。屋上の炎天下にさらしたが１回の水遣りで、約１０日水を遣らなくとも大丈夫であった。
【００１４】
実施例８
図４に示すように、ビルの屋上に実施例１の移動植木鉢及び実施例２の移動植木鉢を並べて、移動庭を作成した。
庭を作る時間は、エレベータを利用して、３人で作業を行って、約４時間で赤バラと白いバラの外観の良い庭を作り出すことができた。
【００１５】
実施例９
ビルの屋上に実施例３の移動植木鉢のみを１００個並べて、移動庭を作成した。
庭を作る時間は、エレベータを利用して、１０人で作業を行って、約３時間で赤バラ一色の外観の良い庭を作り出すことができた。
【００１６】
【本発明の効果】
本発明の移動植木鉢は、移動しやすく、かつ構造が簡単で水の保持能力が高い実用的な植木鉢を開発し、短時間で模様替えできる移動庭として利用できることがわかった。
本発明の移動植木鉢は、個人の家や、庭、営業店における店内や庭を、短時間で雰囲気を変えることができ、しかも、水遣りなどの回数を大幅に減らすことができる。
【図面の簡単な説明】
【図１】一体成型の長方形の植木鉢
【図２】一体成型の円錐型植木鉢
【図３】移動植木鉢
【図４】移動庭の例
【符号の説明】
１　側面部
２　底面部
３　水抜き穴
４　上げ底部
５　スポンジ状の多抗質体
６　鉢受台
７　脚部
８　キャスター
９　庭
【図１】
2004113198.tif 000003
【図２】
2004113198.tif 000004
【図３】
2004113198.tif 000005
【図４】
2004113198.tif 000006